【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
一定期間にわたって患者に供給される薬剤の最大総量で構成可能である医療機器と、
限界システムであって、
前記患者の生理学的情報を含み、前記一定期間にわたって供給される前記薬剤の複数の許容最大総量を含むメモリ、及び
プロセッサであって、
前記薬剤の投与の間に前記医療機器によって現在、用いられている、前記一定期間にわたって前記患者に供給される前記薬剤の最大総量を、前記メモリの前記薬剤の前記複数の許容最大総量と、前記患者の生理学的情報に照らして比較し、
前記比較に基づき、前記一定期間にわたって前記患者に供給される前記薬剤の前記最大総量の変更を前記医療機器に対して行う
ように構成されるプロセッサ
を備える限界システムと
を備えるシステム。
【請求項２】
前記メモリは、前記患者の年齢、前記患者の性別、前記患者の遺伝的体質、又は前記患者の民族性のうちの少なくとも１つを含む患者の人口統計学的情報を更に含む、請求項１に記載のシステム。
【請求項３】
前記患者の生理学的情報は、前記患者に指示された薬剤、前記薬剤が前記患者に指示された時刻、前記患者の処置計画、前記患者の薬剤耐性、前記患者の体重、前記患者の身長、又は前記患者の体表面積のうちの少なくとも１つを含む、請求項２に記載のシステム。
【請求項４】
前記プロセッサは、前記比較を、前記比較の間に体重が前記患者の生理学的情報において用いられるべきであることを決定するために、少なくとも部分的に、前記医療機器に提供される前記患者の第１の体重を別の医療機器に提供される前記患者の第２の体重と比較することによって、行うように構成される、請求項３に記載のシステム。
【請求項５】
前記患者の生理学的情報は、前記患者に指示された薬剤、前記薬剤が前記患者に指示された時刻、前記患者の処置計画、前記患者の薬剤耐性、前記患者の体重、前記患者の身長、又は前記患者の体表面積のうちの少なくとも１つを含む、請求項１に記載のシステム。
【請求項６】
前記プロセッサは、前記変更を示す前記医療機器による表示のための通知を提供するように更に構成される、請求項１に記載のシステム。
【請求項７】
前記患者の生理学的情報は、前記患者の健康状態を含み、前記健康状態は、血液凝固量、ビタミンレベル、血小板数値、トロンボプラスチン時間、体重、又は血清レベルを含む前記患者の検査データに基づいて決定可能である、請求項１に記載のシステム。
【請求項８】
前記医療機器は、輸液ポンプを備え、患者の生理学的情報は、前記患者の検査データを更に含む、請求項１に記載のシステム。
【請求項９】
前記医療機器は、前記薬剤を供給する速度、供給する前記薬剤の量、及び前記薬剤を供給する期間のうちの少なくとも１つを含む動作限界パラメータで更に構成可能である、請求項１に記載のシステム。
【請求項１０】
前記プロセッサは、超過可能なソフト最大総量及び超過不能なハード最大総量のうちの少なくとも１つを定義することによって、前記一定期間にわたって前記患者に供給される前記薬剤の前記最大総量の前記変更を行うように構成される、請求項１に記載のシステム。
【請求項１１】
前記医療機器は、前記医療機器で前記一定期間にわたって前記患者に供給される最大の薬剤の混合物で構成可能であり、前記メモリは、前記一定期間にわたって供給される前記薬剤の混合物の複数の許容最大総量を更に含む、請求項１に記載のシステム。
【請求項１２】
一定期間にわたって患者に供給される薬剤の最大総量で医療機器を構成するステップと、
限界システムのメモリで、前記患者の生理学的情報、及び前記一定期間にわたって供給される前記薬剤の複数の許容最大総量を格納するステップと、
前記医療機器での前記薬剤の投与の間に前記限界システムのプロセッサで、前記一定期間にわたって前記患者に供給される前記薬剤の前記構成された最大総量を、前記メモリの前記薬剤の前記複数の許容最大総量と、前記患者の生理学的情報に照らして比較するステップと、
前記医療機器に対して前記限界システムの前記プロセッサで、前記比較に基づいて、前記一定期間にわたって前記患者に供給される前記薬剤の前記構成された最大総量の変更を行うステップと
を含む方法。
【請求項１３】
前記変更された動作限界パラメータを示す前記医療機器による表示のための通知を、前記限界システムの前記プロセッサで提供するステップを更に含む、請求項１２に記載の方法。
【請求項１４】
前記通知を前記医療機器で表示するステップを更に含む、請求項１３に記載の方法。
【請求項１５】
前記医療機器において入力を受信するステップであって、前記入力は、前記変更された動作限界パラメータが許容されるか否かを示す情報を含む、ステップと、
前記受信された入力に応答して、前記変更を行うステップと
を更に含む、請求項１４に記載の方法。
【請求項１６】
前記入力は、一定期間にわたって患者に供給される薬剤の前記最大総量がソフトリミット外であるが、この値が有効に維持されるという介護者からの承認を含む、請求項１５に記載の方法。
【請求項１７】
患者の治療法に従って患者に薬剤を供給するための動作パラメータを制限する動作限界パラメータで構成可能な医療機器と、
限界システムであって、
前記患者の検査データを含むメモリであって、前記検査データは、血液凝固量、ビタミンレベル、血小板数値、トロンボプラスチン時間、又は血清レベルのうちの少なくとも１つを含む、メモリと、
プロセッサであって、
前記患者への前記薬剤の投与の間に、前記患者の前記検査データに照らして、前記メモリに格納された許容動作パラメータであって、前記患者に供給される前記薬剤の最大総量、及び一定期間にわたって前記患者に供給される前記薬剤の最大総量のうちの少なくとも１つを含む複数のルールを含む許容動作パラメータを、前記動作限界パラメータと比較し、
前記患者の前記検査データでの前記許容動作パラメータの前記比較に基づいて、前記患者の治療法を変更するための推奨を提供する
ように構成されるプロセッサ
を備える限界システムと
を備えるシステム。
【請求項１８】
前記プロセッサは、
前記比較に基づいて、前記医療機器の変更された動作限界パラメータを生成し、
前記変更された動作限界パラメータの臨床医のための通知を提供する
ことによって、前記患者の治療法を変更するための前記推奨を提供するように構成される、請求項１７に記載のシステム。
【請求項１９】
前記プロセッサは、前記臨床医からの入力を受信するように更に構成され、前記入力は、前記変更された患者の治療法が許容されるか否かを示す情報を含む、請求項１８に記載のシステム。
【請求項２０】
前記医療機器は輸液ポンプを備え、前記メモリは、前記患者に指示された薬剤、前記薬剤が前記患者に指示された時刻、前記患者の処置計画、前記患者の薬剤耐性、前記患者の体重、前記患者の身長、前記患者の体表面積、前記患者の年齢、前記患者の性別、前記患者の遺伝的体質、又は前記患者の民族性のうちの少なくとも１つを更に格納し、前記検査データに照らして、前記許容動作パラメータを前記動作限界パラメータと比較することが、前記比較の間に体重が用いられるべきであることを決定するために、前記医療機器に提供される前記患者の第１の体重を別の医療機器に提供される前記患者の第２の体重と比較することを含む、請求項１７に記載のシステム。